(57)【特許請求の範囲】
【請求項１】
椅子の前方域に配置される基板と、可動機構を介して前記基板の後面に支持させたテーブル板とを備え、前記可動機構により前記テーブル板が前記基板に沿った収納位置と、先端部が後方に向かう姿勢で前記基板の後面から突出した使用位置とに移動可能に配設されたテーブル装置において、
前記可動機構は、収納位置に配置されたテーブル板を上方に引き上げた後、テーブル板の先端部を下方に揺動させた場合に使用位置に配置させるものであり、
前記基板には、前記可動機構及び収納位置に配置されたテーブル板の上方域を覆う上方カバー部と、前記可動機構及び収納位置に配置されたテーブル板の後方域を覆う後方カバー部とを一体に成形したカバー部材を設けてあり、前記上方カバー部及び前記後方カバー部の間を湾曲して連続させてあり、
前記カバー部材には、収納位置に配置されたテーブル板を上方に引き上げるための引出孔を前記上方カバー部及び前記後方カバー部の間の湾曲する部位であって前記上方カバー部から前記後方カバー部にかけて形成したことを特徴とするテーブル装置。
【請求項２】
前記テーブル板は、先端部に、湾曲した外表面を有する垂れ部材を備え、
前記垂れ部材は、前記テーブル板を収納位置に配置させた場合に、手を挿入するための隙間を前記引出孔の下方部に確保した状態で前記湾曲した外表面によって前記引出孔を覆うように構成したものであることを特徴とする請求項１に記載のテーブル装置。
【請求項３】
前記上方カバー部の裏面において前記引出孔の両端部に対応する部位に設けた係止板の下端に、前記可動機構に形成した係止用突起に嵌合するための凹所を形成したことを特徴とする請求項１に記載のテーブル装置。
【請求項４】
請求項１〜請求項３のいずれか一つに記載のテーブル装置において、前記基板の前面を背凭れ部として構成するとともに、前記背凭れ部の下端部に着座部を配設し、所定の着座領域を確保して複数の基板を互いに前後に並設した場合に使用位置のテーブル板が後席用のテーブルとして配置されることを特徴とする椅子。
【発明の詳細な説明】
【技術分野】
【０００１】
本発明は、椅子の前方域に配置される基板に対してテーブル板が収納位置と使用位置とに移動可能に配設されたテーブル装置及びテーブル装置の基板前面に背凭れ部を構成した椅子に関するものである。
【背景技術】
【０００２】
劇場や講堂等のように、複数の椅子が前後左右に整列させた状態で設けられた施設には、各椅子の前方域にテーブル装置を設けるようにしたものがある。テーブル装置は、椅子に着座した人がテーブルとして用いるもので、基板とテーブル板とを備えて構成されている。基板は、椅子の前方域に設けられた板状の部材であり、施設の床面に立設した状態で配置されている。テーブル板は、平板状を成すもので、可動機構を介して基板に支持されており、収納位置と使用位置とに移動することが可能であり、不使用時に収納位置に配置させることで邪魔にならないように工夫されている。
【０００３】
この種のテーブル装置では、可動機構及び収納位置に配置されたテーブル板がボックス状のカバー部材によって覆われており、可動機構の可動部を外部に露出させないようにしている（例えば、特許文献１及び特許文献２参照）。
【先行技術文献】
【特許文献】
【０００４】
【特許文献１】特開２００６−１８１０９１号公報
【特許文献２】特許第４３０２６６９号公報
【発明の概要】
【発明が解決しようとする課題】
【０００５】
上記のようにカバー部材によって可動機構を覆うようにしたものによれば、外観上の品質を向上させるばかりでなく、可動機構の可動部に対して不用意に異物が進入するのを防止することができるようになる。
【０００６】
しかしながら、ボックス状のカバー部材を設けるには、多数の平板を組み合わせる必要があり、部品点数の増大に起因して製造作業の煩雑化や製造コストの増大を招来する恐れがある。
【０００７】
本発明は、上記実情に鑑みて、部品点数の増大に起因した問題を招来することなく、可動機構及び収納位置に配置されたテーブル板を覆うことのできるテーブル装置及び椅子を提供することを目的とする。
【課題を解決するための手段】
【０００８】
上記目的を達成するため、本発明に係るテーブル装置は、椅子の前方域に配置される基板と、可動機構を介して前記基板の後面に支持させたテーブル板とを備え、前記可動機構により前記テーブル板が前記基板に沿った収納位置と、先端部が後方に向かう姿勢で前記基板の後面から突出した使用位置とに移動可能に配設されたテーブル装置において、前記可動機構は、収納位置に配置されたテーブル板を上方に引き上げた後、テーブル板の先端部を下方に揺動させた場合に使用位置に配置させるものであり、前記基板には、前記可動機構及び収納位置に配置されたテーブル板の上方域を覆う上方カバー部と、前記可動機構及び収納位置に配置されたテーブル板の後方域を覆う後方カバー部とを一体に成形したカバー部材を設けてあり、前記上方カバー部及び前記後方カバー部の間を湾曲して連続させてあり、前記カバー部材には、収納位置に配置されたテーブル板を上方に引き上げるための引出孔を前記上方カバー部及び前記後方カバー部の間の湾曲する部位であって前記上方カバー部から前記後方カバー部にかけて形成したことを特徴とする。
【０００９】
また、本発明は、上述したテーブル装置において、前記テーブル板は、先端部に、湾曲した外表面を有する垂れ部材を備え、前記垂れ部材は、前記テーブル板を収納位置に配置させた場合に、手を挿入するための隙間を前記引出孔の下方部に確保した状態で前記湾曲した外表面によって前記引出孔を覆うように構成したものであることを特徴とする。
【００１０】
また、本発明は、上述したテーブル装置において、前記上方カバー部の裏面において前記引出孔の両端部に対応する部位に設けた係止板の下端に、前記可動機構に形成した係止用突起に嵌合するための凹所を形成したことを特徴とする。
【００１１】
また、本発明に係る椅子は、上述したテーブル装置のいずれか一つにおいて、前記基板の前面を背凭れ部として構成するとともに、前記背凭れ部の下端部に着座部を配設し、所定の着座領域を確保して複数の基板を互いに前後に並設した場合に使用位置のテーブル板が後席用のテーブルとして配置されることを特徴とする。
【発明の効果】
【００１２】
本発明によれば、上方カバー部と後方カバー部とを一体に成形したカバー部材を適用しているため、部品点数の増大に起因した問題を招来することなく、可動機構及び収納位置に配置されたテーブル板を覆うことが可能となる。しかも、カバー部材を取り外すことなくテーブル板を収納位置と使用位置との間に移動させることができる。また、上方カバー部と後方カバー部との間に角部が構成されない。
【００１３】
また、本発明によれば、基板の前面に背凭れ部及び着座部を構成した椅子においても、上述した作用効果を奏することが可能となる。
【図面の簡単な説明】
【００１４】
【図１】図１は、本発明の実施の形態であるテーブル装置及び椅子を後方から見た示した斜視図である。
【図２】図２は、図１に示したテーブル装置及び椅子を前方から見た斜視図である。
【図３】図３は、図１に示したテーブル装置及び椅子の側面図である。
【図４】図４は、図１に示したテーブル装置及び椅子のテーブル板及びカバー部材を省略した状態の平面図である。
【図５】図５は、図１に示したテーブル装置及び椅子のカバー部材を省略した状態を後方から見た分解斜視図である。
【図６】図６は、図１に示したテーブル装置及び椅子に適用するレール部材を示す斜視図である。
【図７】図７は、図１に示したテーブル装置及び椅子の要部を分解して示す断面側面図である。
【図８】図８は、図１に示したテーブル装置及び椅子の断面側面図である。
【図９】図９は、図１に示したテーブル装置及び椅子の断面側面図である。
【図１０−１】図１０−１は、図１に示したテーブル装置及び椅子のテーブル板を使用位置に配置した状態の要部断面側面図である。
【図１０−２】図１０−２は、図１０−１に示した状態のテーブル装置及び椅子の背面図である。
【図１１−１】図１１−１は、図１に示したテーブル装置及び椅子のテーブル板を収納位置に配置した状態の要部断面側面図である。
【図１１−２】図１１−２は、図１１−１に示した状態のテーブル装置及び椅子の背面図である。
【図１２】図１２は、図１に示したテーブル装置及び椅子に適用するカバー部材を外表面側から見た斜視図である。
【図１３】図１３は、図１に示したテーブル装置及び椅子に適用するカバー部材を内表面側から見た斜視図である。
【図１４】図１４は、図１に示したテーブル装置及び椅子の基板とカバー部材との上端部に笠木を取り付ける状態を示す斜視図である。
【図１５】図１５は、図１に示したテーブル装置及び椅子の変形例を示す断面側面図である。
【発明を実施するための形態】
【００１５】
以下、添付図面を参照しながら本発明に係るテーブル装置及びテーブル装置を適用した椅子の好適な実施の形態について詳細に説明する。
【００１６】
図１及び図２は、本発明の実施の形態であるテーブル装置を示したものである。ここで例示するテーブル装置は、劇場や講堂等の施設において、左右に連続した複数の着座領域Ｆを前後に仕切る場合に適用するものである。本実施の形態では、特に、図３に示すように、前方が低くなる階段状の床面を有した施設を適用対象とし、各段の床面に左右方向に連続した着座領域Ｆを一列ずつ確保するものを例示している。各段の床面は、高さのみが異なるものであり、いずれも水平方向に沿って延在している。左右方向に連続した各列の着座領域Ｆは、図４の平面図で示すように、中央部に比べて左右両端部がそれぞれわずかに前方側となるように、後方側に向けて凸となるように湾曲して構成してある。
【００１７】
図１〜図３に示すように、テーブル装置は、仕切るべき着座領域Ｆの前方域であって、一段下の床面の後方となる位置にそれぞれ基板１０を備えている。基板１０は、木質材によって矩形の平板状に構成したもので、湾曲した着座領域Ｆに沿って互いに左右方向に並設してある。図３に示すように、個々の基板１０は、上方に向けて後方に傾斜し、後傾した姿勢で立設している。基板１０の傾斜角度は、すべてのテーブル装置において互いに同一である。
【００１８】
図４及び図５に示すように、基板１０には、それぞれの後面に左右方向に沿って上下一対のレール部材２０が取り付けてある。レール部材２０は、図５及び図６に示すように、長尺の平板状を成すレール基部２１の上下両側縁部に係合厚肉部２２を一体に成形した部材であり、アルミニウムやアルミニウム合金製の押し出し形材によって一様な横断面形状を有するように構成してある。係合厚肉部２２は、レール基部２１の両外表面から突出する態様で形成した板厚の大きな部分であり、レール基部２１の外表面から突出した部分にそれぞれ一対の嵌合溝２２ａを有するとともに、両側縁面にピン嵌合溝２２ｂを有している。嵌合溝２２ａは、係合厚肉部２２において互いに対向する部位に形成した一条の凹所であり、レール部材２０の全長に渡って形成してある。ピン嵌合溝２２ｂは、係合厚肉部２２の側縁面に開口する凹所であり、開口側の幅が奥方の幅よりもわずかに狭くなるように形成してある。
【００１９】
上記のような構成を有するレール部材２０は、図６に示すように、各対を成す嵌合溝２２ａにそれぞれ連結プレート２３を嵌合させ、かつピン嵌合溝２２ｂにそれぞれ連結ピン２４を嵌合させることによって互いに連結され、さらに図５及び図７に示すように、基板１０の後面に取り付けた上下一対の係合ブラケット２５，２６により、複数の基板１０に渡って水平に配設してある。
【００２０】
係合ブラケット２５，２６は、基板１０に取り付けられる係合取付部２５ａ，２６ａと、基板１０から直角方向に突出する態様で係合取付部２５ａ，２６ａの一端部から屈曲して延在した係合スペーサ部２５ｂ，２６ｂと、係合スペーサ部２５ｂ，２６ｂの突出端部から係合取付部２５ａ，２６ａに対向するように屈曲した係合舌片部２５ｃ，２６ｃとを有したもので、係合舌片部２５ｃ，２６ｃが互いに上下に離反して延在し、かつ係合舌片部２５ｃ，２６ｃの先端相互間距離が嵌合溝２２ａの相互間距離に一致した状態で基板１０の後面に取り付けてある。図７からも明らかなように、一対の係合ブラケット２５，２６は、上方の係合ブラケット２５が下方の係合ブラケット２６よりも係合スペーサ部２５ｂ，２６ｂの突出長さが小さく構成してあるとともに、係合スペーサ部２５ｂ，２６ｂに対する係合舌片部２５ｃ，２６ｃの屈曲角度が相違しており、互いの係合舌片部２５ｃ，２６ｃが同一の鉛直面に沿って配置されるように構成してある。
【００２１】
上述した係合ブラケット２５，２６に対しては、レール部材２０の嵌合溝２２ａに上下一対の係合舌片部２５ｃ，２６ｃをそれぞれ挿入させることにより、レール部材２０が支持されることになる。これらの係合ブラケット２５，２６によって取り付けられたレール部材２０は、鉛直面に沿って配置される係合舌片部２５ｃ，２６ｃにより、平板状を成すレール基部２１が鉛直方向に沿った姿勢となり、さらに軸心を中心とする円筒面に沿い、かつ後方に向けて凸となる態様で湾曲する。従って、基板１０の後面に取り付けられたレール部材２０は、水平方向に沿って配設されることになり、全長に渡って高さ位置が一定となる。この場合、連結プレート２３及び連結ピン２４によって相互に連結した複数のレール部材２０は、一連の部材として取り扱うことが可能である。従って、各レール部材２０の端部に対応する部位に係合ブラケット２５，２６を配設する必要はなく、図４及び図５に示すように、基板１０に対してそれぞれの後面のほぼ中央部にのみ係合ブラケット２５，２６を配設した場合であっても、湾曲した着座領域Ｆに沿ってレール部材２０を湾曲させることが可能である。
【００２２】
また、テーブル装置には、図５、図７〜図９に示すように、基板１０の後面に木質材によって矩形の平板状に形成したテーブル板３０が可動機構４０を介して支持させてある。可動機構４０は、基板１０に対してテーブル板３０を移動可能に支持し、テーブル板３０が基板１０に沿った収納位置と、テーブル板３０の先端部が後方に向かう姿勢で基板１０の後面から突出した使用位置とに配置させるものである。本実施の形態では、図９に示すように、テーブル板３０の過半部を収容することのできる大きさに形成した金属製の枠体４１と、この枠体４１の内部両側において上下方向にスライド可能に配設したスライダ４２とを備え、スライダ４２の上端部間にテーブル板３０の基端部を左右方向に沿った軸心回りに回転可能に支持させるようにした可動機構４０を例示している。
【００２３】
図７〜図９に示すように、可動機構４０の枠体４１には、レール部材２０に対応する部位にそれぞれ支持ブラケット４３，４４が設けてある。支持ブラケット４３，４４は、枠体４１から直角方向に突出した支持スペーサ部４３ａ，４４ａと、支持スペーサ部４３ａ，４４ａの延在端部に取り付けた支持舌片部４３ｂ，４４ｂとを有したものである。支持舌片部４３ｂ，４４ｂは、平板状を成すもので、枠体４１を基板１０に対して平行に配置した場合に、レール部材２０のレール基部２１と平行となる状態で支持スペーサ部４３ａ，４４ａに設けてある。支持舌片部４３ｂ，４４ｂの幅は、上述した連結プレート２３と同一である。
【００２４】
この可動機構４０は、支持舌片部４３ｂ，４４ｂをレール部材２０の嵌合溝２２ａに挿入させることにより、支持ブラケット４３，４４及びレール部材２０を介して基板１０の後面に取り付けられる。基板１０の後面に取り付けられた状態においては、図９中の二点鎖線及び図１１−１に示すように、テーブル板３０を基板１０に沿って配置すれば、スライダ４２の移動に伴ってテーブル板３０を枠体４１の内部に出し入れすることが可能である。具体的には、テーブル板３０を上方に引き上げれば、図９中の二点鎖線で示すように、スライダ４２の上方への移動に伴ってテーブル板３０を枠体４１から引き出すことができ、一方、テーブル板３０を下方に押し下げれば、図１１−１に示すように、スライダ４２の下方への移動に伴ってテーブル板３０の過半部を枠体４１の内部に収容させることができる（テーブル板３０の収納位置）。
【００２５】
これに対して、図９中の二点鎖線で示した状態からテーブル板３０の先端部を下方に揺動させると、テーブル板３０の基端部側に位置する部分が枠体４１に当接することによって揺動が停止され、図９中の実線及び図１０−１に示す状態となる。この状態においては、テーブル板３０の先端部が後方に向かう姿勢で基板１０の後面から突出し、テーブル板３０の上面がほぼ水平となり、テーブル板３０をテーブルとして使用することが可能となる（テーブル板３０の使用位置）。
【００２６】
さらに、この状態からテーブル板３０の先端部を上方に揺動させ、再び図９中の二点鎖線及び図１１−１に示すように、テーブル板３０を基板１０に沿って配置すれば、押し下げることで枠体４１の内部に収容させることができる。尚、図には明示していないが、本実施の形態では、基板１０の後面に比べて一回り小さい幅となる可動機構４０を適用しており、各基板１０の後面にそれぞれ可動機構４０を介して個別のテーブル板３０を支持させるようにしている。
【００２７】
基板１０に対するテーブル板３０の位置は、レール部材２０に対して支持舌片部４３ｂ，４４ｂをスライドさせれば、支持ブラケット４３，４４の位置を変更することで、左右方向に調整することが可能である。この場合、基板１０に支持させたレール部材２０は、上述したように鉛直方向に沿った軸心を中心とする円筒面に沿って湾曲し、その高さが全長に渡って一定であるため、基板１０に対してテーブル板３０の位置を変更した場合にも、その上面が傾斜する等の問題を招来することがない。
【００２８】
図１〜図３、図７〜図１１−２に示すように、基板１０の後面に支持させた可動機構４０には、テーブル板３０を収納した状態においてその上方域及び後方域を覆う大きさのカバー部材５０が設けてある。カバー部材５０は、図７、図８、図１０−１、図１２〜図１４に示すように、可動機構４０及び収納位置に配置されたテーブル板３０の上方域を覆う上方カバー部５０ａと、可動機構４０及び収納位置に配置されたテーブル板３０の後方域を覆う後方カバー部５０ｂと、上方カバー部５０ａから上方に向けて延在した化粧カバー部５０ｃとを木質材によって一体に成形したものである。上方カバー部５０ａと後方カバー部５０ｂとの間及び上方カバー部５０ａと化粧カバー部５０ｃとの間は、いずれも角部を構成しないように、湾曲させて滑らかに連続させてある。カバー部材５０の左右方向に沿った幅は、取付対象となる基板１０と同じ大きさである。
【００２９】
カバー部材５０には、図１２〜図１４に示すように、可動機構４０における枠体４１の上面に対向する部位に引出孔５１が形成してあるとともに、上方カバー部５０ａの裏面において引出孔５１の両端部に対応する部位に係止板５２が設けてある。引出孔５１は、テーブル板３０を挿通することのできる大きさに形成した貫通孔であり、可動機構４０及び収納位置に配置されたテーブル板３０を覆った状態において、上述した可動機構４０の枠体４１に対するテーブル板３０の移動を許容するためのものである。係止板５２は、上方カバー部５０ａの裏面から互いに平行となるように板状部材であり、それぞれの下端に係止用切欠５２ａを有している。係止用切欠５２ａは、可動機構４０における枠体４１の両端部に形成した係止用突起４１ａに嵌合するための凹所である。
【００３０】
上記のように構成したカバー部材５０は、図７及び図８に示すように、個々の可動機構４０に対して係止板５２の係止用切欠５２ａを枠体４１の係止用突起４１ａに嵌合させ、さらに後方カバー部５０ｂの外表面から枠体４１に対してネジ５３を締結させることにより、枠体４１を介して基板１０に支持させてある。図１４に示すように、基板１０に支持させたカバー部材５０は、側端縁が互いに当接した状態にあり、隣接するものの内部空間が相互に連通した状態にある。但し、着座領域Ｆの両端に位置する基板１０に支持させたカバー部材５０には、基板１０との間の内部空間を閉塞するための側板５４が設けてある。側板５４は、カバー部材５０と同様に木質材によって構成したものである。
【００３１】
また、カバー部材５０を支持させた基板１０にあっては、その後面がカバー部材５０によって完全に覆われることとなる。従って、カバー部材５０に対して仕上げ加工や仕上げ塗装を施しておけば、基板１０の後面に対して仕上げ加工や仕上げ塗装を施さなくとも、テーブル装置の外観品質を損ねる恐れがない。
【００３２】
ここで、基板１０の後面を覆うカバー部材５０には、引出孔５１が後面側に常時開口した状態となる。そこで、本実施の形態では、テーブル板３０の先端部に垂れ部材３１を取り付け、テーブル板３０を収納位置に配置させた場合に、カバー部材５０の引出孔５１を垂れ部材３１によって覆うように構成してある。垂れ部材３１は、カバー部材５０と同等の木質材によって湾曲状に構成したもので、テーブル板３０を収納位置に配置させた場合に、その湾曲した外表面によって引出孔５１を覆うようにしている。但し、テーブル板３０を引き上げる際の操作性を考慮し、テーブル板３０を収納位置に配置した場合にも、引出孔５１の下方部には手を挿入するための隙間が確保してある。すなわち、使用者は、この隙間に手を差し入れて垂れ部材３１を把持し、そのまま上方に引き上げれば、収納位置に配置されたテーブル板３０を容易に上方に引き出すことが可能である。
【００３３】
カバー部材５０の内部には、図１０−１〜図１１−２に示すように、引出孔５１よりも基板１０に近接した位置に配線プラグ受け６０が配設してある。配線プラグ受け６０は、プラグ（図示せず）が差し込まれた場合に電源を供給するためのもので、差し込み口６１が引出孔５１から外部に臨む態様で取付ブラケット６２により可動機構４０の枠体４１を介して基板１０に支持させてある。図には明示していないが、配線プラグ受け６０に対して電源を供給する電源ケーブル６３は、上述した互いに連通するカバー部材５０の内部空間を通過して敷設してある。
【００３４】
この配線プラグ受け６０は、テーブル板３０を使用位置に配置させた場合、図１０−１及び図１０−２に示すように、テーブル板３０の上面よりも上方に位置し、差し込み口６１が引出孔５１を介して外部に露出されることになる。従って、引出孔５１を介して配線プラグ受け６０にプラグ（図示せず）を差し込むことが可能となり、テーブル板３０の上面に載置させたパソコン等の電子機器（図示せず）に対して電源を供給することができる。
【００３５】
これに対して、図１１−１及び図１１−２に示すように、テーブル板３０を収納位置に配置した場合には、配線プラグ受け６０がテーブル板３０によって覆われることになる。従って、この状態においては、配線プラグ受け６０にゴミ等の異物が進入する事態を確実に防止し、接続不良等の問題を来す恐れがなくなる。
【００３６】
しかも、配線プラグ受け６０を覆う部材は、テーブル装置のテーブル板３０であるため、プラグ（図示せず）を接続している時であっても紛失することはなく、また別途部品を用意する必要もないため、部品点数の増大に起因してコストが増大する問題を招来することもない。
【００３７】
また、配線プラグ受け６０は、枠体４１を介して基板１０に支持させたものであり、カバー部材５０との間に連結部分を有していない。従って、メインテナンス時に基板１０に対してカバー部材５０を着脱させる場合にも、配線プラグ受け６０や電源ケーブル６３に対して何らの処置を施す必要が無く、その作業をきわめて容易に行うことが可能となる。
【００３８】
一方、テーブル装置には、図１及び図２に示すように、基板１０の上面に笠木７０が配設してある。笠木７０は、木質材によって構成したもので、図７〜図９及び図１４に示すように、基板１０の上端面よりも大きな幅を有し、かつ下端の前方側に平坦な取付面７１を有した長尺状に構成してある。この笠木７０は、取付面７１を介して基板１０の上端面に当接させた状態で取付ネジ７２を締結することにより、左右方向に沿って並設した複数の基板１０の上端部に渡って固定された状態となる。
【００３９】
この笠木７０には、基板１０の上端面よりも後方に突出した部分に凹部７３が設けてあるとともに、その上面に表示領域７４が構成してある。凹部７３は、下方に開口した凹所であり、カバー部材５０における化粧カバー部５０ｃの上端部を収容している。表示領域７４は、各基板１０の上面中央部に対応する部位に設けたもので、後方側の着座領域Ｆを特定するための表示が記載してある。この表示領域７４は、笠木７０の上面が基板１０よりも大きな幅を有したものであるため、より大きく、明瞭な表示を行うことが可能である。
【００４０】
上記のように左右方向に沿って並設した複数の基板１０の上端部に笠木７０を配設したテーブル装置によれば、基板１０の上端面の位置が多少前後にずれていたとしても、笠木７０によってこれを矯正して整列させることができるようになる。さらに、笠木７０の後方側に突出した下面の凹部７３が、カバー部材５０における化粧カバー部５０ｃの上端部を収容しているため、基板１０の上端と化粧カバー部５０ｃとの間の隙間が不均一であった場合や、化粧カバー部５０ｃの上端位置が上下方向にバラ付いていた場合にも、これらが外部に露出することはなく、煩雑な調整作業を要せずとも、一定の外観品質を確保することが可能となる。
【００４１】
さらに、本実施の形態のテーブル装置では、図３に示すように、最前列以外の基板１０に背凭れ部８１及び着座部８２を設けて椅子を構成するようにしている。具体的には、図７〜図９に示すように、基板１０の前面に背凭れ用のクッション材を配設することによって背凭れ部８１を構成し、かつ背凭れ部８１の下端部に着座用のクッション材を配設することによって着座部８２を構成するようにしている。テーブル装置の後傾した基板１０は、その前面にクッション材を貼り付けるだけで、傾斜した椅子の背凭れ部８１を構成することが可能である。また、本実施の形態では、着座部８２の先端部が跳ね上げ式の椅子を構成し、不必要時に着座部８２を跳ね上げた状態に維持することで着座領域Ｆの通路を拡大するようにしている。上記のようにして椅子を構成した場合、図３に示すように、使用者が基板１０の後方側に設けた着座部８２に腰掛けた状態でテーブル板３０を使用位置に配置すれば、これをテーブルとして使用することが可能となる。
【００４２】
以上説明したように、テーブル装置及びこれを用いた椅子によれば、上方カバー部５０ａと後方カバー部５０ｂとを一体に成形し、さらには化粧カバー部５０ｃをも一体に成形したカバー部材５０を適用しているため、部品点数の増大に起因した問題を招来することなく、可動機構４０及び収納位置に配置されたテーブル板３０を覆うことが可能となり、外観上の品質を向上させるばかりでなく、可動機構４０においてスライダ４２等の可動部に対して不用意に異物が進入するのを防止することができるようになる。しかも、カバー部材５０に引出孔５１を設けるようにしているため、カバー部材５０を取り外すことなくテーブル板３０を収納位置と使用位置との間に移動させることができる。さらに、上方カバー部５０ａと後方カバー部５０ｂとの間及び上方カバー部５０ａと化粧カバー部５０ｃとの間をそれぞれ湾曲して連続させるようにしているため、これらの間に角部が構成されることがなく、ゴミ等の異物が付着する事態を防止することも可能となる。
【００４３】
尚、上述した実施の形態では、カバー部材５０として化粧カバー部５０ｃを有したものを例示しているため、基板１０の後面に対して仕上げ加工や仕上げ塗装を施す必要がなくなるという作用効果を奏するが、本発明では必ずしもカバー部材５０が化粧カバー部５０ｃを有している必要はない。例えば、図１５に示す変形例のように、上方カバー部１５０ａ及び後方カバー部１５０ｂのみを有してカバー部材１５０を構成するようにしても、同様の作用効果を奏することが可能である。但し、化粧カバー部５０ｃを設けない場合には、上方カバー部１５０ａの先端部が外部に露出してしまうことになる。そこで、図１５に示す変形例では、基板１０の後面に収容溝１１を形成し、上方カバー部１５０ａの先端部を収容溝１１に挿入させることで、上方カバー部１５０ａの先端部を外部に露出させないようにしている。この変形例で示すように、上方カバー部１５０ａの先端部を基板１０の収容溝１１に収容させる場合には、上方カバー部１５０ａが水平面に沿って延在するようにカバー部材１５０を構成することが好ましい。また、基板１０の上端部とカバー部材１５０との間に隙間が画成されることがないため、笠木を省略しても外観品質を確保することが可能となる。尚、図１５に示す変形例において実施の形態と同様の構成に関しては同一の符号を付してそれぞれの詳細説明を省略している。
【符号の説明】
【００４４】
１０      基板
１１      収容溝
２０      レール部材
２１      レール基部
２２      係合厚肉部
２２ａ      嵌合溝
２２ｂ      ピン嵌合溝
２３      連結プレート
２４      連結ピン
２５，２６      係合ブラケット
２５ａ，２６ａ      係合取付部
２５ｂ，２６ｂ      係合スペーサ部
２５ｃ，２６ｃ      係合舌片部
３０      テーブル板
３１      垂れ部材
４０      可動機構
４１      枠体
４１ａ      係止用突起
４２      スライダ
４３，４４      支持ブラケット
４３ａ，４４ａ      支持スペーサ部
４３ｂ，４４ｂ      支持舌片部
５０，１５０      カバー部材
５０ａ，１５０ａ      上方カバー部
５０ｂ，１５０ｂ      後方カバー部
５０ｃ      化粧カバー部
５１      引出孔
５２      係止板
５２ａ      係止用切欠
５３      ネジ
５４      側板
６０      配線プラグ受け
６１      差し込み口
６２      取付ブラケット
６３      電源ケーブル
７０      笠木
７１      取付面
７２      取付ネジ
７３      凹部
７４      表示領域
８１      背凭れ部
８２      着座部
Ｆ      着座領域
【図１】
0005966036.tif 000002
【図２】
0005966036.tif 000003
【図３】
0005966036.tif 000004
【図４】
0005966036.tif 000005
【図５】
0005966036.tif 000006
【図６】
0005966036.tif 000007
【図７】
0005966036.tif 000008
【図８】
0005966036.tif 000009
【図９】
0005966036.tif 000010
【図１０−１】
0005966036.tif 000011
【図１０−２】
0005966036.tif 000012
【図１１−１】
0005966036.tif 000013
【図１１−２】
0005966036.tif 000014
【図１２】
0005966036.tif 000015
【図１３】
0005966036.tif 000016
【図１４】
0005966036.tif 000017
【図１５】
0005966036.tif 000018